(57)【要約】【課題】従来の装置では、患者の情報を用いて、病院経営に有益な情報を出力できなかった。【解決手段】患者を識別する患者識別子と、患者の診療開始の日に関する情報である開始日情報とを有する２以上の患者情報が格納される患者情報格納部と、一の病院の現在の患者数に関する情報である現患者数情報が格納される現患者数格納部と、一の病院における過去の患者の平均診療期間に関する情報である平均診療期間情報が格納される平均診療期間格納部と、現患者数情報と、平均診療期間情報とを用いて、将来の患者数に関する情報である予測患者数情報を取得する予測部と、予測患者数情報を出力する出力部とを具備する病院経営支援装置により、患者の情報を用いて、病院経営に有益な情報を出力できる。【選択図】図１
2018055523.tif 000002
【特許請求の範囲】
【請求項１】
患者を識別する患者識別子と、患者の診療開始の日に関する情報である開始日情報とを有する２以上の患者情報が格納される患者情報格納部と、
一の病院の現在の患者数に関する情報である現患者数情報が格納される現患者数格納部と、
前記一の病院における過去の患者の平均診療期間に関する情報である平均診療期間情報が格納される平均診療期間格納部と、
前記現患者数情報と、前記平均診療期間情報とを用いて、将来の患者数に関する情報である予測患者数情報を取得する予測部と、
前記予測患者数情報を出力する出力部とを具備する病院経営支援装置。
【請求項２】
前記予測部は、
現在の日を示す情報である本日情報を取得し、前記患者情報格納部に格納されている２以上の患者情報のうち現在の患者の各患者情報に対して、当該本日情報と前記開始日情報との間である診療期間情報を取得する診療期間取得手段と、
前記診療期間取得手段が取得した診療期間情報が前記平均診療期間情報に対して予め決められた条件を満たす患者の数を示す情報である減少予測患者数情報を取得する減少予測患者数取得手段と、
前記現患者数情報から前記減少予測患者数情報を減算して、予測患者数情報を取得する予測患者数取得手段とを具備する請求項１記載の病院経営支援装置。
【請求項３】
前記患者情報格納部に格納されている２以上の患者情報のうちの１以上の各患者情報は、
診療が終了したことを示す診療終了情報を有し、
前記患者情報格納部から、前記診療終了情報を有しない患者情報の数を示す現患者数情報を取得する現患者数取得部をさらに具備し、
前記現患者数格納部の現患者数情報は、前記現患者数取得部が取得した現患者数情報である請求項１または請求項２記載の病院経営支援装置。
【請求項４】
前記患者情報格納部に格納されている２以上の患者情報のうちの１以上の各患者情報は、
診療が終了した日に関する情報である診療終了情報を有し、
前記患者情報格納部から、前記診療終了情報を有する各患者情報が有する開始日情報と、当該開始日情報と対になる診療終了情報が示す日との間の期間を示す情報である診療期間情報を取得し、当該診療期間情報の平均値である平均診療期間情報を取得する平均診療期間取得部をさらに具備し、
前記平均診療期間格納部の平均診療期間情報は、前記平均診療期間取得部が取得した平均診療期間情報である請求項１から請求項３いずれか一項に記載の病院経営支援装置。
【請求項５】
前記患者情報格納部に格納されている２以上の患者情報のうちの１以上の各患者情報は、
紹介に関する紹介情報を有し、
前記患者情報格納部から、前記紹介情報を有し、開始日情報を有さない患者情報の数を示す情報である見込み患者数情報を取得する見込み患者数取得部をさらに具備し、
前記出力部は、
前記見込み患者数情報をも出力する請求項１から請求項４いずれか一項に記載の病院経営支援装置。
【請求項６】
前記出力部は、
前記現患者数情報を、前記予測患者数情報に対応付けて出力する請求項１から請求項５いずれか一項に記載の病院経営支援装置。
【請求項７】
前記出力部は、
前記予測患者数情報、または前記予測患者数情報と前記見込み患者数情報、または前記予測患者数情報と前記現在患者数情報、または前記予測患者数情報と前記見込み患者数情報と現在患者数情報を、経営の良好度が判断可能な２段階以上のレベルが認識可能なように図的に出力する請求項１から請求項６いずれか一項に記載の病院経営支援装置。
【請求項８】
記録媒体は、
患者を識別する患者識別子と、患者の診療開始の日に関する情報である開始日情報とを有する２以上の患者情報が格納される患者情報格納部と、
一の病院の現在の患者数に関する情報である現患者数情報が格納される現患者数格納部と、
前記一の病院における過去の患者の平均診療期間に関する情報である平均診療期間情報が格納される平均診療期間格納部とを具備しており、
予測部、および出力部によって行われる病院経営支援方法であって、
前記予測部が、前記現患者数情報と、前記平均診療期間情報とを用いて、将来の患者数に関する情報である予測患者数情報を取得する予測ステップと、
前記出力部が、前記予測患者数情報を出力する出力ステップとを含む病院経営支援方法。
【請求項９】
コンピュータがアクセス可能な記録媒体は、
患者を識別する患者識別子と、患者の診療開始の日に関する情報である開始日情報とを有する２以上の患者情報が格納される患者情報格納部と、
一の病院の現在の患者数に関する情報である現患者数情報が格納される現患者数格納部と、
前記一の病院における過去の患者の平均診療期間に関する情報である平均診療期間情報が格納される平均診療期間格納部とを具備しており、
前記コンピュータを、
前記現患者数情報と、前記平均診療期間情報とを用いて、将来の患者数に関する情報である予測患者数情報を取得する予測部と、
前記予測患者数情報を出力する出力部として機能させるためのプログラム。
【発明の詳細な説明】
【技術分野】
【０００１】
本発明は、病院の経営を支援する病院経営支援装置等に関するものである。
【背景技術】
【０００２】
従来、収益データおよび経費データを用いて原価計算を行い、病院の経営効率の評価データを出力する病院経営評価支援システムが存在した（例えば、特許文献１参照）。
【先行技術文献】
【特許文献】
【０００３】
【特許文献１】特開２０１０−２１８４４８号公報（第１頁、第１図等）
【発明の概要】
【発明が解決しようとする課題】
【０００４】
しかし、先行技術文献に記載のような従来技術では、患者の情報を用いて、病院経営に有益な情報を出力できなかった。
【課題を解決するための手段】
【０００５】
本第一の発明の病院経営支援装置は、患者を識別する患者識別子と、患者の診療開始の日に関する情報である開始日情報とを有する２以上の患者情報が格納される患者情報格納部と、一の病院の現在の患者数に関する情報である現患者数情報が格納される現患者数格納部と、一の病院における過去の患者の平均診療期間に関する情報である平均診療期間情報が格納される平均診療期間格納部と、現患者数情報と、平均診療期間情報とを用いて、将来の患者数に関する情報である予測患者数情報を取得する予測部と、予測患者数情報を出力する出力部とを具備する病院経営支援装置である。
【０００６】
かかる構成により、患者の情報を用いて、病院経営に有益な予測患者数を出力できる。
【０００７】
また、本第二の発明の病院経営支援装置は、第一の発明に対して、予測部は、現在の日を示す情報である本日情報を取得し、患者情報格納部に格納されている２以上の患者情報のうち現在の患者の各患者情報に対して、本日情報と開始日情報との間である診療期間情報を取得する診療期間取得手段と、診療期間取得手段が取得した診療期間情報が平均診療期間情報に対して予め決められた条件を満たす患者の数を示す情報である減少予測患者数情報を取得する減少予測患者数取得手段と、現患者数情報から減少予測患者数情報を減算して、予測患者数情報を取得する予測患者数取得手段とを具備する病院経営支援装置である。
【０００８】
かかる構成により、患者の情報を用いて、病院経営に有益な予測患者数を出力できる。
【０００９】
また、本第三の発明の病院経営支援装置は、第一または第二の発明に対して、患者情報格納部に格納されている２以上の患者情報のうちの１以上の各患者情報は、診療が終了したことを示す診療終了情報を有し、患者情報格納部から、診療終了情報を有しない患者情報の数を示す現患者数情報を取得する現患者数取得部をさらに具備し、現患者数格納部の現患者数情報は、現患者数取得部が取得した現患者数情報である病院経営支援装置である。
【００１０】
かかる構成により、患者の情報を用いて、病院経営に有益な現患者数を自動的に取得できる。
【００１１】
また、本第四の発明の病院経営支援装置は、第一から第三いずれか１つの発明に対して、患者情報格納部に格納されている２以上の患者情報のうちの１以上の各患者情報は、診療が終了した日に関する情報である診療終了情報を有し、患者情報格納部から、診療終了情報を有する各患者情報が有する開始日情報と、開始日情報と対になる診療終了情報が示す日との間の期間を示す情報である診療期間情報を取得し、診療期間情報の平均値である平均診療期間情報を取得する平均診療期間取得部をさらに具備し、平均診療期間格納部の平均診療期間情報は、平均診療期間取得部が取得した平均診療期間情報である病院経営支援装置である。
【００１２】
かかる構成により、患者の情報を用いて、平均診療期間を算出できる。
【００１３】
また、本第五の発明の病院経営支援装置は、第一から第四いずれか１つの発明に対して、患者情報格納部に格納されている２以上の患者情報のうちの１以上の各患者情報は、紹介に関する紹介情報を有し、患者情報格納部から、紹介情報を有し、開始日情報を有さない患者情報の数を示す情報である見込み患者数情報を取得する見込み患者数取得部をさらに具備し、出力部は、見込み患者数情報をも出力する病院経営支援装置である。
【００１４】
かかる構成により、患者の情報を用いて、見込み患者数をも出力できる。
【００１５】
また、本第六の発明の病院経営支援装置は、第一から第五いずれか１つの発明に対して、出力部は、現患者数情報を、予測患者数情報に対応付けて出力する病院経営支援装置である。
【００１６】
かかる構成により、患者の情報を用いて、病院経営に有益な現患者数をも出力できる。
【００１７】
また、本第七の発明の病院経営支援装置は、第一から第六いずれか１つの発明に対して、出力部は、予測患者数情報、または予測患者数情報と見込み患者数情報、または予測患者数情報と現患者数情報、または予測患者数情報と見込み患者数情報と現患者数情報を、経営の良好度が判断可能な２段階以上のレベルが認識可能なように図的に出力する病院経営支援装置である。
【００１８】
かかる構成により、患者の情報を用いて、病院経営に有益な情報を図的に出力できる。
【発明の効果】
【００１９】
本発明によれば、患者の情報を用いて、病院経営に有益な情報を出力できる。
【図面の簡単な説明】
【００２０】
【図１】実施の形態における病院経営支援システムのブロック図
【図２】同病院経営支援装置の動作を説明するフローチャート
【図３】同現患者数取得処理を説明するフローチャート
【図４】同平均診療期間取得処理を説明するフローチャート
【図５】同見込み患者数取得処理を説明するフローチャート
【図６】同予測処理を説明するフローチャート
【図７】同診療期間取得処理を説明するフローチャート
【図８】同端末装置の動作を説明するフローチャート
【図９】同患者情報のデータ構造図
【図１０】同対情報のデータ構造図
【図１１】同予測患者数情報および現患者数情報の出力例を示す図
【図１２】同見込み患者数情報の出力例を示す図
【図１３】同コンピュータシステムの外観図
【図１４】同コンピュータシステムの内部構成の一例を示す図
【発明を実施するための形態】
【００２１】
以下、病院経営支援装置等の実施形態について図面を参照して説明する。なお、実施の形態において同じ符号を付した構成要素は同様の動作を行うので、再度の説明を省略する場合がある。
【００２２】
本実施の形態において、予測患者数を算出し、出力する病院経営支援装置について説明する。また、患者数の具体的予測方法について説明する。また、現患者数情報を取得する病院経営支援装置について説明する。また、平均診療期間情報を取得する病院経営支援装置について説明する。また、見込み患者数も算出し、出力する病院経営支援装置について説明する。また、現患者数情報も出力する病院経営支援装置について説明する。また、患者数の出力は図的であり、経営のレベルを視覚的に判別可能なように出力する病院経営支援装置について説明する。
【００２３】
図１は、本実施の形態における病院経営支援システムのブロック図である。病院経営支援システムは、病院経営支援装置１、および１または２以上の端末装置２を備える。病院経営支援装置１と１以上の各端末装置２（以下、単に端末装置２と記す場合がある）とは、例えば、ＬＡＮやインターネットなどのネットワーク、有線または無線の通信回線等を介して、通信可能に接続される。
【００２４】
病院経営支援装置１は、予測患者数を算出し、出力する装置である。ただし、出力することは、端末装置２等に送信する場合も含む。１以上の各端末装置２は、例えば、出力指示等の情報を受け付け、病院経営支援装置１に送信することで、病院経営支援装置１から予測患者数等の情報を受信し、出力する装置である。
【００２５】
病院経営支援装置１は、通常、一の病院に設置され、当該病院の予測患者数を算出し、出力する。病院は、診療所（医院、クリニック等）も含む。また、病院の診療科目は、内科、外科、歯科等、何でもよい。ただし、病院経営支援装置１は、例えば、病院経営支援システムを運営する運営会社に設置され、病院経営支援システムを利用する２以上の各病院の予測患者数を算出し、出力してもよい。
【００２６】
１以上の各端末装置２は、通常、一の病院の端末である。ただし、病院経営支援システムが２以上の端末装置２を具備する場合、２以上の各端末装置２は、２以上の各病院の端末であってもよい。端末は、例えば、据え置き型のＰＣでも、ノートＰＣやタブレット端末やスマートフォンといった携帯端末でもよく、病院の経営者や職員が使用可能な端末であれば、そのタイプや所在は問わない。
【００２７】
病院経営支援装置１は、通常、病院に設置されたサーバであるが、例えば、運営会社のサーバでも、インターネット上のクラウドサーバでもよく、そのタイプや所在は問わない。病院経営支援装置１は、病院経営支援システムを管理する管理者によって操作され得る。管理者とは、通常、病院の経営者や職員であるが、運営会社の職員でもよい。
【００２８】
ただし、病院経営支援装置１は、スタンドアロンでもよい。すなわち、本発明の病院経営支援方法は、例えば、一のＰＣでも実現可能であり、ハードウェア構成には依存しない。
【００２９】
病院経営支援装置１は、格納部１１、受付部１２、処理部１３、および出力部１４を備える。格納部１１は、患者情報格納部１１１、現患者数格納部１１２、および平均診療期間格納部１１３を備える。処理部１３は、現患者数取得部１３１、平均診療期間取得部１３２、見込み患者数取得部１３３、および予測部１３４を備える。予測部１３４は、診療期間取得手段１３４１、減少予測患者数取得手段１３４２、および予測患者数取得手段１３４３を備える。
【００３０】
１以上の各端末装置２（以下、単に端末装置２と記す場合がある）は、端末受付部２１、端末処理部２２、端末送信部２３、端末受信部２４、および端末出力部２５を備える。なお、病院経営支援システムが２以上の病院に対応する２以上の端末装置２を具備する場合、２以上の各病院の端末装置２は、当該病院を識別する病院識別子などが格納される端末格納部（図示しない）をさらに具備していてもよい。
【００３１】
病院経営支援装置１を構成する格納部１１は、各種の情報を格納し得る。各種の情報とは、例えば、後述する患者情報、後述する現患者数情報、および後述する平均診療期間情報などである。また、格納部１１は、後述する診療期間取得手段１３４１が取得した現患者の診療期間情報、後述する減少予測患者数取得手段１３４２が取得した減少予測患者数情報、後述する予測患者数取得手段１３４３が取得した予測患者数情報なども格納し得る。
【００３２】
患者情報格納部１１１には、２以上の患者情報が格納される。患者情報とは、患者に関する情報である。２以上の各患者情報（以下、単に患者情報と記す場合がある）は、患者識別子と、開始日情報とを有する。患者識別子とは、患者を識別する情報である。患者識別子は、例えば、例えば、患者の名前（例えばＡＡ，ＢＢ，…等の文字列）、ＩＤ（例えば１，２，…等の番号）などであるが、患者を識別し得る情報であれば何でもよい。開始日情報とは、患者の診療開始の日に関する情報である。開始日情報は、通常、診療開始の日の日付（年月日）を含む。開始日情報は、時刻まで含んでもよい。
【００３３】
また、患者情報格納部１１１に格納されている２以上の患者情報の少なくとも一部は、診療終了情報も有していてよい。診療終了情報とは、診療の終了に関する情報である。診療終了情報は、例えば、診療が終了したことを示すフラグ、診療が終了した日の日付などであるが、診療の終了を処理部１３等が判断し得る情報であれば何でもよい。
【００３４】
また、格納されている２以上の患者情報の少なくとも一部は、紹介情報をも有していてよい。紹介情報とは、紹介に関する情報である。紹介とは、当該病院に対する当該患者の紹介であり、例えば、他の病院、ケアマネージャー、施設等からの紹介であってよい。紹介情報は、例えば、紹介されたことを示すフラグ、紹介元情報などを含む。紹介元情報とは、紹介元に関する情報であり、例えば、紹介元である他の病院を識別する病院識別子、紹介元であるケアマネージャーを識別するケアマネージャー識別子、紹介元である施設を識別する施設識別子といった、紹介元を識別し得る情報を含む。紹介情報は、例えば、後述する受付部１２によって、他の病院の端末装置２等から受信され、処理部１３によって、患者識別子に対応付けて患者情報格納部１１に蓄積されてもよい。そして、当該患者識別子で識別される患者の診療開始後に、当該患者識別子に対応付けて開始日情報等がさらに蓄積されてもよい。
【００３５】
従って、格納されている２以上の患者情報の中には、紹介情報を有し、開始日情報を有さないものが含まれていてもよい。かかる患者情報に対応する患者は、紹介を受けたが、未だ診療は開始していない患者である。本実施の形態では、この種の患者を、将来の患者、または見込み患者と呼んでいる。
【００３６】
２以上の患者情報は、予め患者情報格納部１１１に格納されていてもよいし、例えば、後述する受付部１２によって受け付けられ、患者情報格納部１１１に蓄積されてもよく、その由来は問わない。
【００３７】
なお、病院経営支援システムが２以上の病院に対応する２以上の端末装置２を具備する場合、患者情報格納部１１１には、病院識別子と２以上の患者情報との組が、２組以上、格納されてもよい。病院識別子とは、２以上の各病院を識別する情報である。病院識別子とは、病院名、ＩＤなどであるが、病院を識別し得る情報であれば何でもよい。病院識別子と２以上の患者情報との組は、予め患者情報格納部１１１に格納されていてもよいし、例えば、受付部１２によって、当該病院識別子で識別される病院の端末装置２から受信され、患者情報格納部１１１に蓄積されてもよく、その由来は問わない。
【００３８】
現患者数格納部１１２には、現患者数情報が格納される。現患者数情報とは、一の病院の現在の患者数に関する情報である。現患者数情報は、通常、現在の患者数（現患者数）を示す情報であるが、現在の患者数を計数した情報とは限らず、例えば、現在の患者数を、過去の患者数の推移から推定した情報などでもよい。現在の患者（現患者）とは、患者情報格納部１１１に格納されている２以上の患者情報のうち、診療終了情報を有さない患者情報に対応する患者である。例えば、患者の種類が、過去の患者、現患者、および見込み患者の３種類である場合には、現患者は、格納されている２以上の患者情報のうち、診療終了情報を有さず、開始日情報を有する患者情報に対応する患者であってもよい。
【００３９】
現患者数情報は、予め現患者数格納部１１２に格納されていてもよいし、例えば、受付部１２によって受け付けられ、現患者数格納部１１２に蓄積されたものでもよい。または、現患者数情報は、後述する現患者数取得部１３１によって取得され、現患者数格納部１１２に蓄積されたものでもよく、その由来は問わない。
【００４０】
なお、病院経営支援システムが２以上の病院に対応する２以上の端末装置２を具備する場合、現患者数格納部１１２には、病院識別子と現患者数情報との対が、２以上、格納されてもよい。病院識別子と現患者数情報との対は、予め現患者数格納部１１２に格納されていてもよいし、例えば、受付部１２によって、当該病院識別子で識別される病院の端末装置２から受信され、現患者数格納部１１２に蓄積されてもよく、その由来は問わない。
【００４１】
平均診療期間格納部１１３には、平均診療期間情報が格納される。平均診療期間情報とは、一の病院における過去の患者の平均診療期間に関する情報である。過去の患者とは、診療が終了した患者をいう。過去の患者は、患者情報格納部１１１に格納されている２以上の患者情報のうち、診療終了情報を有する患者情報に対応する患者である。なお、診療終了情報を有する患者情報は、通常、開始日情報を当然に有しているが、有していなくてもよい。
【００４２】
診療期間とは、過去の患者の場合は、診療開始から診療終了までの間の期間であり、現在の患者の場合は、診療開始から現在までの間の期間である。平均診療期間は、過去の患者の診療期間の平均値である。平均診療期間は、具体的には、過去の患者の診療期間を合計し、その合計値を、過去の患者の数（以下、単に患者数と記す場合がある）で除算することにより得られる。
【００４３】
なお、詳細は後述するが、現在の患者の診療期間は、診療開始から現在までの間の期間である。本実施の形態では、平均診療期間の算出に当たって、過去の患者の診療期間のみを考慮し、現在の患者の診療期間は考慮していないが、両者を考慮しても構わない。つまり、例えば、処理部１３が、患者情報格納部１１１から、過去の患者の診療期間および現在の患者の診療期間を取得し、それらの診療期間を合計する一方、過去の患者の数および現在の患者の数を取得し、それらの人数を合計し、合計診療期間を合計人数で除算することにより、一の病院における過去および現在の患者の平均診療期間に関する平均診療期間情報を取得してもよい。
【００４４】
診療期間情報は、通常、診療開始の日から診療終了の日までの間の期間を示す情報を含む。期間を示す情報とは、例えば、診療開始の日から診療終了の日までの間の日数（例えば、７日間、１５日間等）であるが、かかる日数に対応する週数（例えば、１週間、２．１週間等）または月数（０．２３か月、半月等）などでもよく、その表現形式は問わない。
【００４５】
平均診療期間情報は、２以上の過去の患者に対応する２以上の診療期間情報を用いて取得される情報であり、診療開始から診療終了までの間の診療期間の平均値（以下、平均診療期間と記す場合がある）を示す情報を含む。平均診療期間は、例えば、診療開始の日から診療終了の日までの間の平均日数（例えば、１１日間等）であるが、平均日数に対応する平均週数（例えば、１．６週間等）または平均月数（０．３７か月等）などでもよく、その表現形式は問わない。
【００４６】
平均診療期間情報は、予め平均診療期間格納部１１３に格納されていてもよいし、例えば、後述する処理部１３によって取得され、平均診療期間格納部１１３に蓄積されてもよく、その由来は問わない。
【００４７】
なお、病院経営支援システムが２以上の病院に対応する２以上の端末装置２を具備する場合、平均診療期間格納部１１３には、病院識別子と平均診療期間情報との対が、２以上、格納されてもよい。病院識別子と平均診療期間情報との対は、予め平均診療期間格納部１１３に格納されていてもよいし、例えば、受付部１２によって、当該病院識別子で識別される病院の端末装置２から受信され、平均診療期間格納部１１３に蓄積されてもよい。または、受付部１２が、病院識別子と２以上の診療時間情報との組を受信し、処理部１３が、当該２以上の診療時間情報を用いて平均診療期間情報を取得し、当該病院識別子と当該平均診療期間情報との対を平均診療期間格納部１１３に蓄積してもよく、病院識別子と平均診療期間情報との対の由来は問わない。
【００４８】
受付部１２は、各種の情報を受け付ける。各種の情報は、例えば、前述した開始日情報、現患者数情報、平均診療期間情報などであってもよい。受付部１２は、後述する出力指示、後述する見込み患者数出力指示なども受ける。一般に、受け付けとは、キーボード等の入力デバイスから入力された情報の受け付け、ネットワーク等を介して送信された情報の受信、光ディスクや磁気ディスク、半導体メモリなどの記録媒体から読み出された情報の受け付けなどを含む概念である。受付部１２による受け付けは、通常、端末装置２からの受信であるが、キーボード等の入力デバイスを介した受け付けでもよく、その態様は問わない。
【００４９】
処理部１３は、各種の処理を行う。各種の処理とは、例えば、後述する現患者数取得部１３１、後述する平均診療期間取得部１３２、後述する見込み患者数取得部１３３、および後述する予測部１３４などの処理である。各種の処理には、フローチャートで説明する各種の判別なども含まれる。
【００５０】
現患者数取得部１３１は、患者情報格納部１１１から、診療終了情報を有さない患者情報の数を示す現患者数情報を取得する。好ましくは、現患者数取得部１３１は、患者情報格納部１１１から、診療終了情報を有さず、開始日情報を有する患者情報の数を示す現患者数情報を取得する。これによって、見込み患者の患者情報を登録する場合でも、見込み患者数を除外した現患者数を取得できる。
【００５１】
具体的には、現患者数取得部１３１は、例えば、患者情報格納部１１１に格納されている２以上の患者情報から一の患者情報を順番に選択し、当該患者情報が診療終了情報を有するか否かを判別し、診療終了情報を有しないと判別した場合に、当該患者情報が開始日情報を有するか否かをさらに判別し、開始日情報を有すると判別した場合に、現患者数を示す変数ｍをカウントアップし、格納されている全ての患者情報について判別を終えた後、変数ｍを含む現患者数情報を取得すればよい。現患者数取得部１３１が取得した現患者数情報は、例えば処理部１３によって、現患者数格納部１１２に蓄積される。
【００５２】
現患者数取得部１３１は、現患者数情報を、例えば、予め決められたタイミングで取得してもよいし、後述する出力指示に応じて取得してもよいし、その取得の指示である現患者数取得指示に応じて取得してもよく、その取得タイミングは問わない。予め決められたタイミングは、一回でもよいし、２回以上でもよい。２回以上のタイミングは、一定間隔でもよいし、ランダムな間隔でもよい。予め決められたタイミングで取得する場合、例えば、格納部１１に、取得のタイミングを示すタイミング情報を格納しておき、現患者数取得部１３１は、当該タイミング情報を用いて取得してもよい。タイミング情報は、例えば、１時間ごと、毎日９時、といった周期を示す情報でもよいし、例えば、２０１６年９月１日９時、２０１６年９月１５日１７時、といった日時の集合でもよいし、例えば、２０１６年９月３０日までは毎日１７時、２０１６年１０月１日以降は毎日１２時と１７時、といった日時と周期との組み合わせでもよい。
【００５３】
なお、予め決められたタイミングに関する上記事項は、具体的な日時や周期の長短を除けば、他の情報の取得する場合や、取得以外の処理を行う場合にも、共通し得る。
【００５４】
また、例えば、処理部１３が、タイミング情報または指示を基に、取得するか否かを判断し、現患者数取得部１３１は、取得すると判断された場合に、現患者数情報を取得してもよい。このことは、他の取得部にも共通し得る。
【００５５】
平均診療期間取得部１３２は、患者情報格納部１１１から、診療終了情報を有する各患者情報が有する開始日情報と、開始日情報と対になる診療終了情報が示す日との間の期間を示す情報である診療期間情報を取得し、診療期間情報の平均値である平均診療期間情報を取得する。
【００５６】
具体的には、平均診療期間取得部１３２は、例えば、患者情報格納部１１１に格納されている２以上の患者情報から一の患者情報を順番に選択し、当該患者情報が診療終了情報を有するか否かを判別し、診療終了情報を有する場合に、過去の患者数を示す変数ｎをカウントアップすると共に、当該患者情報から開始日情報と診療終了情報との対を取得し、取得した対が示す２つの日の間の期間を算出し、算出した期間を合計期間を示す変数ｔに加算する処理を繰り返し行う。そして、平均診療期間取得部１３２は、格納されている全ての患者情報について処理を終えた後、変数ｎが１以上である場合に、変数ｔを変数ｎで除算し、この除算の結果を示す平均診療期間情報を取得すればよい。平均診療期間取得部１３２が取得した平均診療期間情報は、例えば処理部１３によって平均診療期間格納部１１３に蓄積され、予測部１３４が予測を行う際に用いられる。
【００５７】
平均診療期間取得部１３２は、平均診療期間情報を、例えば、予め決められたタイミングで取得してもよいし、その取得の指示である平均診療期間取得指示に応じて取得してもよく、その取得タイミングは問わない。
【００５８】
見込み患者数取得部１３３は、患者情報格納部１１１から、紹介情報を有し、開始日情報を有さない患者情報の数を示す情報である見込み患者数情報を取得する。
【００５９】
具体的には、見込み患者数取得部１３３は、例えば、患者情報格納部１１１に格納されている２以上の患者情報から一の患者情報を順番に選択し、当該患者情報が紹介情報を有するか否かを判別し、紹介情報を有すると判別した場合に、当該患者情報が開始日情報を有するか否かをさらに判別し、開始日情報を有さないと判別した場合に、見込み患者数を示す変数ｐをカウントアップする処理を繰り返し行う。そして、見込み患者数取得部１３３は、格納されている全ての患者情報について処理を終えた後、変数ｐを示す見込み患者数情報を取得すればよい。見込み患者数取得部１３３が取得した見込み患者数情報は、例えば処理部１３によって格納部１１に蓄積されてもよい。
【００６０】
見込み患者数取得部１３３は、見込み患者数情報を、例えば、予め決められたタイミングで取得してもよいし、その出力の指示である見込み患者数出力指示に応じて取得してもよく、その取得タイミングは問わない。
【００６１】
予測部１３４は、一の病院における将来の患者数を予測する。詳しくは、予測部１３４は、例えば、現患者数格納部１１２に格納されている現患者数情報と、平均診療期間格納部１１３に格納されている平均診療期間情報とを用いて、将来の患者数に関する情報である予測患者数情報を取得する。または、予測部１３４は、例えば、現患者数をパラメータとする関数を保持しており、予測部１３４は、例えば、現患者数格納部１１２に格納されている現患者数情報と、保持している関数とを用いて、将来の患者数に関する情報である予測患者数情報を取得してもよい。関数は、例えば、増加関数であることは望ましいが、減少関数でもよい。
【００６２】
なお、病院経営支援システムが２以上の病院に対応する２以上の端末装置２を具備する場合、予測部１３４は、かかる予測患者数情報を、病院識別子と対に取得してもよい。また、予測部１３４は、例えば、受付部１２による出力指示と病院識別子との対の受け付け（受信も含む）に応じて、当該病院識別子に対応する予測患者数情報を取得することは好ましい。
【００６３】
予測部１３４は、将来の患者数を、例えば、予め決められたタイミングで予測してもよいし、予測患者数情報の出力の指示である出力指示に応じて予測してもよく、予測を行うタイミングは問わない。
【００６４】
診療期間取得手段１３４１は、現在の患者の診療期間に関する診療期間情報を取得する。診療期間取得手段１３４１は、例えば、現在の日を示す情報である本日情報を取得し、患者情報格納部１１１に格納されている２以上の患者情報のうち現在の患者の各患者情報に対して、本日情報と開始日情報との間である診療期間情報を取得する。または、患者情報格納部１１１に格納される２以上の患者情報が現在の患者の患者情報だけである場合には、診療期間取得手段１３４１は、現在の日を示す情報である本日情報を取得し、患者情報格納部１１１に格納されている２以上の各患者情報に対して、本日情報と開始日情報との間である診療期間情報を取得してもよい。本日情報は、例えば、本日の日付（年月日）に加えて、時刻まで含んでいてもよい。診療期間取得手段１３４１は、本日情報を、例えば、ＭＰＵの内蔵時計から取得してもよいし、ネットワークを介してＮＴＰサーバから取得してもよい。
【００６５】
具体的には、診療期間取得手段１３４１は、例えば、患者情報格納部１１１に格納されている２以上の患者情報から一の患者情報を順番に選択し、当該患者情報が診療終了情報を有するか否かを判別し、診療終了情報を有さない場合に、当該患者情報から開始日情報を取得し、取得した開始時情報が示す日と本日情報が示す日との間の期間を算出して、当該患者情報が有する患者識別子と、算出した期間を示す診療期間情報との対を格納部１１に蓄積する処理を繰り返し行う。なお、本日情報の取得は、最初に１回だけ行えばよい。診療期間取得手段１３４１が、格納されている全ての患者情報について処理を終えると、格納部１１には、現在の患者を識別する患者識別子と、当該患者の診療期間を示す診療期間情報との対（以下、かかる対を対情報と記す場合がある）が、通常は２以上、格納される結果となる。
【００６６】
減少予測患者数取得手段１３４２は、診療期間取得手段１３４１が取得した診療期間情報が平均診療期間情報に対して予め決められた条件を満たす患者の数を示す情報である減少予測患者数情報を取得する。予め決められた条件を満たすことは、例えば、診療期間情報が平均診療期間情報を超えていること、または、診療期間情報が平均診療期間情報以上であることである。ただし、診療期間情報が予め決められた条件を満たすことは、例えば、診療期間情報が、予め決められた条件を満たすほど、診療期間情報に近似していること等でもよく、条件の内容は問わない。
【００６７】
具体的には、減少予測患者数取得手段１３４２は、格納部１１に格納されている上記２以上の対情報から一の対情報を順番に選択し、当該対情報を構成する診療期間情報の示す期間が、平均診療期間格納部１１３に格納されている平均診療期間の示す期間を超えているか否かを判別し、超えていると判別した場合に、減少予測患者数を示す変数ｑをカウントアップする処理を繰り返し行う。そして、減少予測患者数取得手段１３４２は、格納されている全ての対情報について処理を終えた後、変数ｑを示す減少予測患者数情報を取得すればよい。
【００６８】
予測患者数取得手段１３４３は、現患者数情報から減少予測患者数情報を減算して、予測患者数情報を取得する。具体的には、予測患者数取得手段１３４３は、例えば、現患者数取得部１３１が取得した現患者数情報の示す現患者数から、減少予測患者数取得手段１３４２が取得した減少予測患者数情報の示す減少予測患者数を減算して、その減算結果を示す予測患者数情報を取得する。予測患者数取得手段１３４３が取得した予測患者数情報は、例えば処理部１３によって、格納部１１に蓄積されてもよい。
【００６９】
出力部１４は、各種の情報を出力する。各種の情報とは、例えば、前述した予測患者数情報、現患者数情報、見込み患者数情報などである。一般に、出力とは、ディスプレイへの表示、スピーカーからの音出力、外部の装置への送信、他の処理装置や他のプログラムなどへの処理結果の引渡し、記録媒体への蓄積、プリンタでの印字などを含む概念である。出力部１４の出力は、通常、端末装置２への送信であるが、例えば、ディスプレイ等の出力デバイスを介した出力であってもよく、その態様は問わない。病院経営支援装置１がスタンドアロンの場合における出力は、通常、出力デバイスを介した出力である。
【００７０】
出力部１４は、予測部１３４が取得した又は格納部１１に格納されている予測患者数情報を出力する。具体的には、例えば、出力指示に応じて予測部１３４が予測患者数情報を取得し、出力部１４は、取得された予測患者数情報を出力してもよいし、または、予測部１３４が予め決められたタイミングで予測患者数情報を取得し、取得された予測患者数情報を処理部１３が格納部１１に蓄積し、出力部１４は、格納部１１に格納されている予測患者数情報を出力指示に応じて出力してもよく、その出力のタイミングやトリガーは問わない。
【００７１】
出力部１４は、見込み患者数情報をも出力する。出力部１４は、見込み患者数取得部１３３が取得した又は格納部１１に格納されている見込み患者数情報を出力する。具体的には、例えば、出力指示に応じて予測部１３４が予測患者数情報を取得し、出力部１４は、取得された予測患者数情報を出力してもよいし、または、見込み患者数取得部１３３が予め決められたタイミングで見込み患者数情報を取得し、取得された予測患者数情報を処理部１３が格納部１１に蓄積し、見込み患者数取得部１３３は、格納部１１に格納されている見込み患者数情報を見込み患者数出力指示に応じて出力してもよく、その出力のタイミングやトリガーは問わない。
【００７２】
出力部１４は、現患者数情報を、予測患者数情報に対応付けて出力してもよい。対応付けて出力することは、現患者数情報と予測患者数情報とを同一画面に出力することであることは好ましい。ただし、対応付けて出力することは、現患者数情報を表示する第一の画面と、予測患者数情報を表示する第二の画面とを交互に出力することでもよいし、かかる第一および第二の画面の出力を、その切り替えの指示である切り替え指示に応じて切り替えることでもよく、現患者数情報と予測患者数情報との対応をユーザが認識可能に出力することであれば、その態様は問わない。
【００７３】
例えば、出力指示に応じて、予測部１３４が予測患者数情報を取得する一方、現患者数取得部１３１が現患者数情報を取得し、出力部１４は、取得された現患者情報を、取得された予測患者数情報に対応付けて出力してもよい。または、予め決められたタイミングで、見込み患者数取得部１３３が見込み患者数情報を取得する一方、現患者数取得部１３１が現患者数情報を取得し、取得された予測患者数情報および取得された現患者数情報を処理部１３が当該タイミングに対応する日時情報と組にして格納部１１に蓄積し、見込み患者数取得部１３３は、格納部１１に格納されている見込み患者数情報、現患者数情報、および日時情報の上記組を、出力指示に応じて出力してもよく、その出力のタイミングやトリガーは問わない。
【００７４】
出力部１４は、予測患者数情報、または予測患者数情報と見込み患者数情報、または予測患者数情報と現在患者数情報、または予測患者数情報と見込み患者数情報と現在患者数情報を、経営の良好度が判断可能な２段階以上のレベルが認識可能なように図的に出力してもよい。
【００７５】
２段階以上とは、例えば、３段階であってもよい。図的に出力とは、予測患者数情報等の情報と経営の良好度との関係を、ユーザが視覚的に認識可能なように、グラフ等で表現した図を出力することである。
【００７６】
出力部１４は、例えば、予測患者数に応じて移動または回転する針で、予測患者数に対応する経営の良好度を示すアナログ計器を模した図を出力してもよい。このアナログ計器は、例えば、危険を示す赤ゾーン、要注意を示す黄ゾーン、安全を示す緑ゾーン、の３ゾーンに区分された半円状または半ドーナツ状のグラフを有する。そして、当該半円または半ドーナツの中心を支点とする針が、予測患者数に応じて回転し、当該３ゾーンのいずれかを指し示すことで、予測患者数に対応する経理の良好度が、危険、要注意、および安全の３段階の中のどのレベルにあるかを視覚的に表現する。
【００７７】
出力部１４は、通常、かかる図を構成するための画像データ、および図中の針の回転角といったパラメータを計算するための関数を保持している。関数は、パラメータが回転角の場合、通常、予測患者数に応じで増加する増加関数である。ただし、出力部１４は、保持している関数を用いて、予測患者数情報に対応する針の回転角等のパラメータを計算し、計算した回転角等のパラメータと、保持している画像データとを用いて、針が、予測患者数に応じで回転し、赤、黄、および青の３ゾーンのいずれかを指し示しているアナログ計器の図を構成してもよい。
【００７８】
または、出力部１４は、例えば、予測患者数等に応じて長さが変化する棒グラフや、予測患者数等に応じて中心角が変化する扇形のグラフといった、予測患者数等を視覚的に示す１以上のグラフを有する図を構成し、当該１以上のグラフ、または当該１以上のグラフの背景を、予測患者数等に応じて、例えば、危険を示す赤、要注意を示す黄、安全を示す緑、の３色に着色してもよい。
【００７９】
または、出力部１４は、例えば、予測患者数等と、当該予測患者数等に対応する１以上のインジケーターとを有する表示パネルの画像を構成し、１以上のインジケーターを、予測患者数等に応じて、例えば、赤、青、黄、の３色に変化させてもよく、出力部１４が構成する図の態様は問わない。
【００８０】
出力部１４は、通常、こうして構成した図の画像を端末装置２に送信する。ただし、出力部１４は、例えば、初回だけ、計算したパラメータ、および画像データの送信を行い、２回目以降は、計算したパラメータだけを端末装置２に送信してもよい。端末装置２は、１回目に受信した画像データを保持しておき、２回目以降は、受信したパラメータと、保持している画像データを用いて、図の画像を構成してもよい。
【００８１】
なお、病院経営支援システムが２以上の病院に対応する２以上の端末装置２を具備する場合、出力部１４は、予測患者数情報等を、受付部１２が受信した病院識別子に対応する端末装置２に送信してもよい。
【００８２】
端末装置２を構成する端末受付部２１は、各種の情報を受付ける。各種の情報とは、例えば、前述した開始日情報、出力指示などである。端末受付部２１は、各種の情報を、通常、キーボード等の入力デバイスを介して受け付けるが、例えば、外部の装置から受信してもよいし、ディスク等の記録媒体から読み出しても構わない。
【００８３】
端末処理部２２は、各種の処理を行う。各種の処理とは、例えば、フローチャートで説明する各種の判別などである。
【００８４】
端末送信部２３は、各種の情報を送信する。各種の情報とは、例えば、端末受付部２１が受け付けた情報である。端末送信部２３は、情報を、通常、病院経営支援装置１に送信するが、外部の装置に送信してもよく、その送信先は問わない。
【００８５】
端末受信部２４は、各種の情報を受信する。各種の情報とは、例えば、端末送信部２３が送信した出力指示に対応する予測患者数情報、現患者数情報、見込み患者数情報、または、こうした情報を図的に示す画像などである。端末受信部２４は、情報を、通常、病院経営支援装置１から受信するが、外部の装置から受信してもよく、その送信元は問わない。
【００８６】
端末出力部２５は、各種の情報を出力する。各種の情報とは、例えば、端末受信部２４が受信した情報である。端末出力部２５は、端末受信部２４が受信した予測患者数情報等の情報、図の画像などを、ディスプレイを介して出力する。ただし、端末出力部２５は、図を構成するための画像データを保持していてもよく、その場合、端末受信部２４が受信したパラメータと、保持している画像データとを用いて図を構成し、図の画像を出力してもよい。
【００８７】
格納部１１、患者情報格納部１１１、現患者数格納部１１２、および平均診療期間格納部１１３は、例えば、ハードディスクやフラッシュメモリといった不揮発性の記録媒体が好適であるが、ＲＡＭなど揮発性の記録媒体でも実現可能である。
【００８８】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。
【００８９】
受付部１２、および端末受付部２１は、入力デバイスを含むと考えても、含まないと考えてもよい。受付部１２等は、入力デバイスのドライバーソフトによって、または入力デバイスとそのドライバーソフトとで実現され得る。
【００９０】
処理部１３、現患者数取得部１３１、平均診療期間取得部１３２、見込み患者数取得部１３３、予測部１３４、および端末処理部２２は、通常、ＭＰＵやメモリ等から実現され得る。処理部１３等の処理手順は、通常、ソフトウェアで実現され、当該ソフトウェアはＲＯＭ等の記録媒体に記録されている。但し、処理手順は、ハードウェア（専用回路）で実現してもよい。
【００９１】
出力部１４、および端末出力部２５は、ディスプレイやスピーカー等の出力デバイスを含むと考えても含まないと考えてもよい。出力部１４等は、出力デバイスのドライバーソフトによって、または出力デバイスとそのドライバーソフトとで実現され得る。
【００９２】
出力部１４の送信機能、および端末送信部２３は、通常、有線または無線の通信手段（例えば、ネットワークカードやモデム等の通信モジュール）で実現されるが、放送手段（例えば、放送モジュール）で実現されてもよい。
【００９３】
受付部１２の受信機能、および端末受信部２４は、通常、有線または無線の通信手段で実現されるが、放送を送信する手段（例えば、放送受信モジュール）で実現されてもよい。
【００９４】
次に、病院経営支援システムの動作について図２〜図８のフローチャートを用いて説明する。なお、既出の事項に関する説明は、省略または簡略化している。
【００９５】
図２は、病院経営支援装置１の動作を説明するフローチャートである。
【００９６】
（ステップＳ２０１）処理部１３は、現患者数情報を取得するか否かを判別する。具体的には、処理部１３は、例えば、格納部１１に格納されているタイミング情報と、ＭＰＵの内蔵時計等から取得した日時情報とを用いて、現時点が取得のタイミングか否かを判断し、取得のタイミングであれば、現患者数情報を取得すると判別し、取得のタイミングでなければ、現患者数情報を取得しないと判別してもよい。または、処理部１３は、例えば、受付部１２が出力指示を受け付けたことに応じて、現患者数情報を取得すると判別し、受け付けていなければ、現患者数情報を取得しないと判別しても構わない。なお、このフローチャートにおいて、受け付けることは、キーボード等の入力デバイスを介して受け付ける場合だけでなく、端末装置２から受信する場合も含む。現患者数情報を取得する場合はステップＳ２０２に進み、取得しない場合はステップＳ２０３に進む。
【００９７】
（ステップＳ２０２）現患者数取得部１３１は、現患者数情報を取得する処理である現患者数取得処理を実行する。現患者数取得処理については、図３のフローチャートを用いて説明する。その後、ステップＳ２０１に戻る。
【００９８】
（ステップＳ２０３）処理部１３は、平均診療期間情報を取得するか否かを判別する。具体的には、処理部１３は、例えば、タイミング情報等を用いて取得のタイミングか否かを判断し、取得のタイミングであれば取得すると判別し、そうでなければ、取得しないと判別してもよい。または、処理部１３は、例えば、受付部１２が平均診療期間取得指示を受け付けたことに応じて、取得すると判別し、受け付けていなければ、取得しないと判別しても構わない。平均診療期間情報を取得する場合はステップＳ２０４に進み、取得しない場合はステップＳ２０５に進む。
【００９９】
（ステップＳ２０４）平均診療期間取得部１３２は、平均診療期間情報を取得する処理である平均診療期間取得処理を実行する。平均診療期間取得処理については、図４のフローチャートを用いて説明する。その後、ステップＳ２０１に戻る。
【０１００】
（ステップＳ２０５）処理部１３は、見込み患者数情報を取得するか否かを判別する。具体的には、処理部１３は、例えば、タイミング情報等を用いて判別してもよいし、または、見込み患者数取得指示の有無により判別しても構わない。見込み患者数情報を取得する場合はステップＳ２０８に進み、取得しない場合はステップＳ２１１に進む。
【０１０１】
（ステップＳ２０６）見込み患者数取得部１３３は、見込み患者数情報を取得する処理である見込み患者数取得処理を実行する。見込み患者数取得処理については、図５のフローチャートを用いて説明する。その後、ステップＳ２０１に戻る。
【０１０２】
（ステップＳ２０７）処理部１３は、受付部１２が出力指示を受け付けたか否かを判別する。受付部１２が出力指示を受け付けた（受信した）場合はステップＳ２０８に進み、受け付けていない（受信していない）場合はステップＳ２１１に進む。
【０１０３】
（ステップＳ２０８）予測部１３４は、予測患者数情報を取得する処理である予測患者数取得処理を実行する。予測患者数取得処理については、図６のフローチャートを用いて説明する。
【０１０４】
（ステップＳ２０９）出力部１４は、当該予測患者数情報を出力（送信）する。なお、このフローチャートにおいて、出力することは、ディスプレイ等の出力デバイスを介して出力する場合だけでなく、端末装置２に送信する場合も含む。
【０１０５】
（ステップＳ２１０）出力部１４は、当該現患者数情報を、上記予測患者数情報に対応付けて出力する。これにより、例えば、一の画面内に、予測患者数と現患者数とが表示される。その後、ステップＳ２０１に戻る。
【０１０６】
（ステップＳ２１１）処理部１３は、受付部１２が見込み患者数出力指示を受け付けたか否かを判別する。受付部１２が見込み患者数出力指示を受け付けた（受信した）場合はステップＳ２１２に進み、受け付けていない（受信していない）場合はステップＳ２０１に戻る。
【０１０７】
（ステップＳ２１２）出力部１４は、見込み患者数取得部１３３が取得した（または格納部１１に格納されている）見込み患者数情報を出力（送信）する。その後、ステップＳ２０１に戻る。
【０１０８】
なお、図２のフローチャートにおいて、病院経営支援装置１の電源オンやプログラムの起動に応じて処理が開始し、電源オフや処理終了の割り込みにより処理は終了する。ただし、処理の開始または終了のトリガーは問わない。
【０１０９】
図３は、上記ステップＳ２０２の現患者数取得処理を説明するフローチャートである。
【０１１０】
（ステップＳ３０１）現患者数取得部１３１は、変数ｍに初期値０セットし、変数ｉに初期値１をセットする。変数ｍは、現患者数を計数するための変数である。変数ｉは、患者情報格納部１１１に格納されている２以上の患者情報のうち、未選択の患者情報を順番に選択していくための変数である。
【０１１１】
（ステップＳ３０２）現患者数取得部１３１は、ｉ番目の患者情報があるか否かを判別する。ｉ番目の患者情報がある場合はステップＳ３０３に進み、ない場合はステップＳ３０７に進む。
【０１１２】
（ステップＳ３０３）現患者数取得部１３１は、ｉ番目の患者情報が診療終了情報を有するか否かを判別する。ｉ番目の患者情報が診療終了情報を有する場合はステップＳ３０６に進み、有しない場合はステップＳ３０４に進む。なお、ここで診療終了情報を有しない場合は、ｉ番目の患者情報が見込み患者の患者情報である場合も含む。
【０１１３】
（ステップＳ３０４）現患者数取得部１３１は、ｉ番目の患者情報が開始情報を有するか否かをさらに判別する。ｉ番目の患者情報が開始情報を有する場合はステップＳ３０５に進み、有しない場合はステップＳ３０６に進む。なお、ここで開始日情報を有する場合は、ｉ番目の患者情報が現患者の患者情報である場合に限られる。
【０１１４】
（ステップＳ３０５）現患者数取得部１３１は、変数ｍをインクリメントする。
【０１１５】
（ステップＳ３０６）現患者数取得部１３１は、変数ｉをインクリメントする。その後、ステップＳ３０２に戻る。
【０１１６】
（ステップＳ３０７）現患者数取得部１３１は、現時点の変数ｍを現患者数ｍと見なし、現患者数ｍを含む現患者数情報を取得する。取得された現患者数情報は、現患者数取得部１３１によって保持されてもよいし、例えば処理部１３によって格納部１１に蓄積されてもよい。その後、上位処理にリターンする。
【０１１７】
図４は、上記ステップＳ２０４の平均診療期間取得処理を説明するフローチャートである。
【０１１８】
（ステップＳ４０１）平均診療期間取得部１３２は、変数ｎに初期値０セットし、変数ｔに初期値０をセットし、変数ｉに初期値１をセットする。変数ｎは、過去の患者数を計数するための変数である。変数ｔは、過去の患者の診療期間を合算するための変数である。変数ｉは、上記と同様、２以上の患者情報のうち未選択の患者情報を順番に選択していくための変数である。
【０１１９】
（ステップＳ４０２）平均診療期間取得部１３２は、ｉ番目の患者情報があるか否かを判別する。ｉ番目の患者情報がある場合はステップＳ４０３に進み、ない場合はステップＳ４０９に進む。
【０１２０】
（ステップＳ４０３）平均診療期間取得部１３２は、ｉ番目の患者情報が診療終了情報を有するか否かを判別する。ｉ番目の患者情報が診療終了情報を有する場合はステップＳ４０４に進み、有しない場合はステップＳ４０８に進む。
【０１２１】
（ステップＳ４０４）平均診療期間取得部１３２は、変数ｎをインクリメントする。
【０１２２】
（ステップＳ４０５）平均診療期間取得部１３２は、ｉ番目の患者情報から、開始日情報と診療終了情報とを取得する。なお、ｉ番目の患者情報は、診療終了情報を有する以上、開始日情報も有している。
【０１２３】
（ステップＳ４０６）平均診療期間取得部１３２は、開始日情報が示す日と診療終了情報が示す日との間の期間を算出する。
【０１２４】
（ステップＳ４０７）平均診療期間取得部１３２は、変数ｔに当該期間を加算する。
【０１２５】
（ステップＳ４０８）平均診療期間取得部１３２は、変数ｉをインクリメントする。
【０１２６】
（ステップＳ４０９）平均診療期間取得部１３２は、変数ｎが１以上であるか否かを判別する。変数ｎが１以上である（ｎ≧１）場合はステップＳ４１０に進み、１未満である（ｎ＜１）場合は上位処理にリターンする。
【０１２７】
（ステップＳ４１０）平均診療期間取得部１３２は、変数ｔを変数ｎで除算した値“ｎ／ｔ”を平均診療期間“ｎ／ｔ”と見なし、平均診療期間“ｎ／ｔ”を示す平均診療期間情報を取得する。取得された情平均診療期間報は、平均診療期間取得部１３２によって保持されてもよいし、例えば処理部１３によって格納部１１に蓄積されてもよい。その後、上位処理にリターンする。
【０１２８】
なお、図４のフローチャートでは、変数ｔを用いて期間を積算し、積算後の変数ｔを変数ｎで除算しているが、例えば、期間を蓄積し、蓄積された期間の合計を変数ｎで除算してもよい。
【０１２９】
図５は、上記ステップＳ２０６の見込み患者数取得処理を説明するフローチャートである。
【０１３０】
（ステップＳ５０１）見込み患者数取得部１３３は、変数ｐに初期値０セットし、変数ｉに初期値１をセットする。変数ｐは、見込み患者数を計数するための変数である。変数ｉは、上記と同様の変数である。
【０１３１】
（ステップＳ５０２）見込み患者数取得部１３３は、ｉ番目の患者情報があるか否かを判別する。ｉ番目の患者情報がある場合はステップＳ５０３に進み、ない場合はステップＳ５０７に進む。
【０１３２】
（ステップＳ５０３）見込み患者数取得部１３３は、ｉ番目の患者情報が紹介情報を有するか否かを判別する。ｉ番目の患者情報が紹介情報を有する場合はステップＳ５０４に進み、有しない場合はステップＳ５０６に進む。
【０１３３】
（ステップＳ５０４）見込み患者数取得部１３３は、ｉ番目の患者情報が開始日情報を有するか否かを判別する。ｉ番目の患者情報が開始日情報を有する場合はステップＳ５０５に進み、有しない場合はステップＳ５０６に進む。
【０１３４】
（ステップＳ５０５）見込み患者数取得部１３３は、変数ｐをインクリメントする。
【０１３５】
（ステップＳ５０６）見込み患者数取得部１３３は、変数ｉをインクリメントする。その後、ステップＳ５０２に戻る。
【０１３６】
（ステップＳ５０７）見込み患者数取得部１３３は、変数ｐを見込み患者数ｐと見なし、見込み患者数ｐを示す見込み患者数情報を取得する。取得された見込み患者数情報は、見込み患者数取得部１３３によって保持されてもよいし、例えば処理部１３によって格納部１１に蓄積されてもよい。その後、上位処理にリターンする。
【０１３７】
図６は、上記ステップＳ２０８の予測処理を説明するフローチャートである。
【０１３８】
（ステップＳ６０１）予測部１３４を構成する診療期間取得手段１３４１は、現在の患者の診療期間に関する診療期間情報を取得する処理である診療期間取得処理を実行する。診療期間取得処理については、図７のフローチャートを用いて説明する。
【０１３９】
（ステップＳ６０２）予測部１３４は、変数ｑに初期値０セットし、変数ｊに初期値０をセットする。変数ｑは、減少予測患者数を計数するための変数である。変数ｊは、ステップＳ６０１の診療期間取得処理の結果として格納部１１に格納されている２以上の対情報（現患者の患者識別子とその診療期間情報との対）のうち、未選択の対情報を順番に選択していくための変数である。
【０１４０】
（ステップＳ６０３）予測部１３４は、ｊ番目の対情報があるか否かを判別する。ｉ番目の患者情報がある場合はステップＳ６０４に進み、ない場合はステップＳ６０７に進む。
【０１４１】
（ステップＳ６０４）予測部１３４は、ｊ番目の対情報を構成する診療期間情報の示す診療期間が、平均診療期間取得部１３２によって取得された平均診療期間“ｔ/ｎ”に対して所定の条件を満たすか否かを判別する。ｊ番目の対情報の診療期間が平均診療期間“ｔ/ｎ”に対して所定の条件を満たす場合はステップＳ６０５に進み、見たさない場合はステップＳ６０６に進む。
【０１４２】
（ステップＳ６０５）予測部１３４は、変数ｑをインクリメントする。
【０１４３】
（ステップＳ６０６）予測部１３４は、変数ｊをインクリメントする。その後、ステップＳ６０３に戻る。
【０１４４】
（ステップＳ６０７）減少予測患者数取得手段１３４２は、変数ｑを減少予測患者数ｑと見なし、減少予測患者数ｑを示す減少予測患者数情報を取得する。取得された減少予測患者数情報は、減少予測患者数取得手段１３４２によって保持されてもよいし、例えば予測部１３４によって格納部１１に蓄積されてもよい。
【０１４５】
（ステップＳ６０８）予測患者数取得手段１３４３は、現患者数取得部１３１によって取得された現患者数情報が示す現患者数ｍから、減少予測患者数取得手段１３４２が取得した減少予測患者数情報の示す減少予測患者数ｑを減算する。
【０１４６】
（ステップＳ６０９）予測患者数取得手段１３４３は、当該減算の結果“ｍ−ｑ”を予測患者数“ｍ−ｑ”と見なし、予測患者数“ｍ−ｑ”を示す予測患者数情報を取得する。取得された予測患者数情報は、予測患者数取得手段１３４３によって保持されてもよいし、例えば予測部１３４によって格納部１１に蓄積されてもよい。その後、上位処理にリターンする。
【０１４７】
図７は、上記ステップＳ６０１の診療期間取得処理を説明するフローチャートである。
【０１４８】
（ステップＳ７０１）診療期間取得手段１３４１は、変数ｉに初期値１をセットする。
【０１４９】
（ステップＳ７０２）診療期間取得手段１３４１は、ｉ番目の患者情報があるか否かを判別する。ｉ番目の患者情報がある場合はステップＳ７０３に進み、ない場合は上位処理にリターンする。
【０１５０】
（ステップＳ７０３）診療期間取得手段１３４１は、ｉ番目の患者情報が診療終了情報を有するか否かを判別する。ｉ番目の患者情報が診療終了情報を有する場合はステップＳ７０９に進み、有しない場合はステップＳ７０４に進む。なお、ここで診療終了情報を有しない場合は、ｉ番目の患者情報が見込み患者の患者情報である場合も含む。
【０１５１】
（ステップＳ７０４）診療期間取得手段１３４１は、ｉ番目の患者情報が開始日情報を有するか否かを判別する。ｉ番目の患者情報が開始日情報を有する場合はステップＳ７０９に進み、有しない場合はステップＳ７０９に進む。なお、ここで開始日情報を有する場合は、ｉ番目の患者情報が現患者の患者情報である場合に限られる。
【０１５２】
（ステップＳ７０５）診療期間取得手段１３４１は、ｉ番目の患者情報から開始日時時情報を取得する。
【０１５３】
（ステップＳ７０６）診療期間取得手段１３４１は、内蔵時計等から本日情報を取得する。
【０１５４】
（ステップＳ７０７）診療期間取得手段１３４１は、取得した開始日情報が示す日と、取得した本日情報が示す日との間の期間を算出する。
【０１５５】
（ステップＳ７０８）診療期間取得手段１３４１は、ｉ番目の患者情報が有する患者識別子と、取得した期間を示す診療期間情報との対である対情報を、格納部１１に蓄積する。
【０１５６】
（ステップＳ７０９）診療期間取得手段１３４１は、変数ｉをインクリメントする。その後、ステップＳ７０２に戻る。
【０１５７】
なお、図７のフローチャートでは、本日情報をステップＳ７０６で毎回取得しているが、本日情報の取得は、例えば、ステップＳ７０１の前または後で１回だけ行い、取得した本日情報を保持しておき、ステップＳ７０７では、診療期間取得手段１３４１は、取得した開始日情報が示す日と、保持している本日情報が示す日との間の期間を算出してもよい。
【０１５８】
図８は、端末装置２の動作を説明するフローチャートである。
【０１５９】
（ステップＳ８０１）端末処理部２２は、端末受付部２１が出力指示を受け付けたか否かを判別する。なお、このフローチャートでいう受け付けは、通常、キーボード等の入力デバイスを介した受け付けである。端末受付部２１が出力指示を受け付けた場合はステップＳ８０２に進み、受け付けていない場合はステップＳ８０３に進む。
【０１６０】
（ステップＳ８０２）端末送信部２３は、当該出力指示を病院経営支援装置１に送信する。その後、ステップＳ８０１に戻る。
【０１６１】
（ステップＳ８０３）端末処理部２２は、端末受信部２４が予測患者数情報を受信したか否かを判別する。端末受付部２１が予測患者数情報を受信した場合はステップＳ８０４に進み、受信していない場合はステップＳ８０５に進む。
【０１６２】
（ステップＳ８０４）端末出力部２５は、当該予測患者数情報を、ディスプレイ等の出力デバイスを介して出力する。その後、ステップＳ８０１に戻る。
【０１６３】
（ステップＳ８０５）端末処理部２２は、端末受信部２４が現患者数情報を受信したか否かを判別する。端末受付部２１が現患者数情報を受信した場合はステップＳ８０６に進み、受信していない場合はステップＳ８０７に進む。
【０１６４】
（ステップＳ８０６）端末出力部２５は、当該現患者数情報を、上記予測患者数情報に対応付けて出力する。これにより、例えば、一の画面内に、予測患者数と現患者数とが表示される。その後、ステップＳ８０１に戻る。
【０１６５】
（ステップＳ８０７）端末処理部２２は、端末受付部２１が見込み患者数出力指示を受け付けたか否かを判別する。端末受付部２１が見込み患者数出力指示を受け付けた場合はステップＳ８０８に進み、受け付けていない場合はステップＳ８０９に進む。
【０１６６】
（ステップＳ８０８）端末送信部２３は、当該見込み患者数出力指示を病院経営支援装置１に送信する。その後、ステップＳ８０１に戻る。
【０１６７】
（ステップＳ８０９）端末処理部２２は、端末受信部２４が見込み患者数情報を受信したか否かを判別する。端末受信部２４が見込み患者数情報を受信した場合はステップＳ８１０に進み、受信していない場合はステップＳ８０１に戻る。
【０１６８】
（ステップＳ８１０）端末出力部２５は、当該見込み患者数情報を、ディスプレイ等の出力デバイスを介して出力する。その後、ステップＳ８０１に戻る。
【０１６９】
なお、図８のフローチャートにおいて、端末装置２の電源オンやプログラムの起動に応じて処理が開始し、電源オフや処理終了の割り込みにより処理は終了する。ただし、処理の開始または終了のトリガーは問わない。
【０１７０】
なお、病院経営支援システムが２以上の病院に対応する２以上の端末装置２を具備する場合、病院経営支援装置１は、図２〜図７に示した処理を、２以上の病院識別子ごとに実行すればよい。２以上の各端末装置２は、各種の情報を、病院識別子と対に送受信すればよい。
【０１７１】
以下、本実施の形態における病院経営支援システムの具体的な動作例について説明する。ただし、本例は、本発明を何ら限定するものではなく、適宜変更され得ることはいうまでもない。また、既出の事項に関する説明は、省略または簡略化している。
【０１７２】
本例における病院経営支援システムは、病院経営支援装置１、および当該病院経営支援装置１とネットワークを介して接続された端末装置２を備える。病院経営支援装置１は、ある病院に設置されたサーバであり、端末装置２は、その病院の端末（ＰＣ、タブレット端末等）である。本日の日付は、２０１６年９月１５日であり、病院経営支援装置１の患者情報格納部１１１には、ＩＤ“１”，“２”，…，“５”に対応付けて、図９に示すような５つの患者情報が格納されている。
【０１７３】
図９は、患者情報のデータ構造図である。患者情報は、患者識別子と、紹介情報、開始日情報、および診療終了情報のうち１以上の情報と、種類識別子とを有する。種類識別子とは、患者の種類を示す情報である。種類識別子は、本例では、“過去の患者”、“現患者”、および“見込み患者”の３種類である。ただし、種類識別子は、処理の理解のための情報に過ぎず、処理自体に必須の情報ではない。
【０１７４】
例えば、ＩＤ“１”に対応する患者情報（以下、患者情報１と記す場合がある）は、患者識別子“ＡＡ”、紹介情報“−”、開始日情報“２０１６年８月１日”、診療終了情報“−”、および種類識別子“現患者”を有する。なお、“−”は、当該情報を有しないことを示す。また、ＩＤ“２”に対応する患者情報（患者情報２）は、患者識別子“ＢＢ”、紹介情報“−”、開始日情報“２０１６年７月２０日”、診療終了情報“２０１６年９月１０日終了”、および種類識別子“過去の患者”を有する。
【０１７５】
同様に、患者情報３は、患者識別子“ＣＣ”、紹介情報“病院ａａから”、開始日情報“−”、診療終了情報“−”、および種類識別子“見込み患者”を有する。患者情報４は、患者識別子“ＤＤ”、紹介情報“ケアマネージャーｂｂさんから”、開始日情報“２０１６年８月２０日”、診療終了情報“−”、および種類識別子“現患者”を有する。患者情報５は、患者識別子“ＥＥ”、紹介情報“施設ｃｃから”、開始日情報“２０１６年８月１０日”、診療終了情報“２０１６年９月５日終了”、および種類識別子“過去の患者”を有する。
【０１７６】
端末装置２において、端末受付部２１がキーボード等を介して出力指示を受け付けると、端末送信部２３は、当該出力指示を病院経営支援装置１に送信する。
【０１７７】
病院経営支援装置１において、受付部１２が当該出力指示を受信すると、現患者数取得部１３１は、患者情報格納部１１１に格納されている患者情報１〜５を用いて、図３に示された処理を行うことで、現患者数情報を取得する。詳しくは、現患者数取得部１３１は、まず、１番目の患者情報１に関し、診療終了情報の有無を判別し、診療終了情報が無いため、開始日情報の有無をさらに判別する。そして、開始日情報は有るため、現患者数取得部１３１は、患者情報１を現患者の患者情報と見なし、変数ｍを０から１にインクリメントする。次に、現患者数取得部１３１は、患者情報２に関し、診療終了情報の有無を判別し、診療終了情報が有るため、患者情報２を現患者の患者情報ではないと見なし、変数ｍのインクリメントは行わない。次に、現患者数取得部１３１は、患者情報３に関し、診療終了情報の有無を判別し、診療終了情報は無いため、開始日情報の有無をさらに判別するが、開始日情報も無いため、現患者の患者情報ではないと見なし、変数ｍのインクリメントは行わない。
【０１７８】
次の患者情報４に関しては、診療終了情報が無く、開始日情報は有るため、現患者数取得部１３１は、現患者の患者情報と見なし、変数ｍを１から２にインクリメントする。最後の患者情報５に関しては、診療終了情報が有るため、現患者数取得部１３１は、現患者の患者情報ではないと見なし、変数ｍのインクリメントは行わない。こうして、現患者数“２”を示す現患者数情報が取得され、現患者数格納部１１２に蓄積される。
【０１７９】
他方、診療期間取得手段１３４１は、患者情報１〜５を用いて、図４に示された処理を行うことで、平均診療期間情報を取得する。まず、患者情報１に関し、診療終了情報の有無を判別し、診療終了情報が無いため、患者情報１を過去の患者の患者情報ではないと見なし、変数ｎのインクリメントも変数ｔへの加算も行わない。次の患者情報２は、診療終了情報が有るため、診療期間取得手段１３４１は、患者情報１を過去の患者の患者情報と見なし、まず、変数ｎを０から１にインクリメントする。次に、診療期間取得手段１３４１は、患者情報２から、開始日情報“２０１６年７月２０日”と診療終了情報“２０１６年９月１０日終了”とを取得し、それらの間の期間“５１日”を算出し、変数ｔに加算する。この時点で、ｔ＝０＋５１＝５１である。
【０１８０】
続く患者情報３、患者情報４は、終了情報が無いため、診療期間取得手段１３４１は、過去の患者の患者情報ではないと見なし、インクリメントも加算も行わない。最後の患者情報５は、診療終了情報が有るため、診療期間取得手段１３４１は、変数ｎを１から２にインクリメントし、患者情報５から開始日情報“２０１６年８月１０日”と診療終了情報“２０１６年９月５日終了”とを取得し、それらの間の期間“２６日”を算出し、変数ｔに加算する。これにより、ｔ＝５１＋２６＝７７となり、診療期間取得手段１３４１は、平均診療期間“ｔ／ｎ”＝“７７／２＝３８．５”と計算し、平均診療期間“３８．５日”を示す平均診療期間情報を取得する。
【０１８１】
次に、予測部１３４を構成する診療期間取得手段１３４１が、患者情報１〜５を用いて、図６のステップＳ６０１および図７に示された処理を行うことで、現患者の診療期間情報を取得する。まず、患者情報１に関し、診療終了情報が無く、開始日情報は有るため、診療期間取得手段１３４１は、患者情報１を現患者の患者情報と見なし、患者情報１から開始日情報“２０１６年８月１日”を取得すると共に、内蔵時計等から本日情報“２０１６年９月１５日”を取得する。次に、診療期間取得手段１３４１は、これら２つの日付の間の期間“４６日”を算出し、患者情報１が有する患者識別子“ＡＡ”と診療期間情報“４６日”との対情報を格納部１１に蓄積する。
【０１８２】
患者情報２に関しては、診療終了情報が有るため、現患者の患者情報ではないと見なされ、対情報は蓄積されない。患者情報３に関しては、診療終了情報も開始日情報も無いため、現患者の患者情報ではないと見なされ、対情報は蓄積されない。
【０１８３】
患者情報４に関しては、診療終了情報が無く、開始日情報は有るため、診療期間取得手段１３４１は、現患者の患者情報と見なし、患者情報４から開始日情報“２０１６年８月２０日”を取得すると共に、本日情報“２０１６年９月１５日”を取得する。そして、診療期間取得手段１３４１は、期間“２６日”を算出し、患者情報４が有する患者識別子“ＤＤ”と診療期間情報“２１日”との対情報を格納部１１に蓄積する。最後の患者情報５に関しては、診療終了情報が有るため、現患者の患者情報ではないと見なされ、対情報は蓄積されない。
【０１８４】
こうして、格納部１１には、図１０に示すような２つの対情報がＩＤ（１，２）と対に格納される結果となる。図１０は、対情報のデータ構造図である。対情報は、患者識別子と期間情報とを有する。ＩＤ“１”で識別される対情報（対情報１）は、患者識別子“ＡＡ”と期間情報“４６日”とを有する。ＩＤ“２”で識別される対情報（対情報２）は、患者識別子“ＤＤ”と期間情報“２６日”とを有する。
【０１８５】
次に、予測部１３４等は、図６のステップＳ６０２〜Ｓ６０９を行うことで、予測減少患者数を取得する。詳しくは、予測部１３４は、まず、格納部１１から対情報１を選択し、当該対情報１を構成する診療期間情報の示す診療期間“４６日”が、平均診療期間取得部１３２によって取得された平均診療期間“３８．５日”を超えているか否かを判別する。対情報１を構成する診療期間“４６日”は平均診療期間“３８．５日”を超えているため、予測部１３４は、変数ｐを０から１にインクリメントする。次の対情報２の診療期間は“２６日”で、これは平均診療期間“３８．５日”に満たないため、変数ｐのインクリメントは行われない。減少予測患者数取得手段１３４２は、この時点の変数ｑ＝１を減少予測患者数と見なし、減少予測患者数“１”を示す減少予測患者数情報を取得する。
【０１８６】
次に、予測患者数取得手段１３４３は、現患者数取得部１３１によって取得された現患者数“２”から、減少予測患者数取得手段１３４２が取得した減少予測患者数“１”を減算し、当該減算の結果“１”を予測患者数と見なして、予測患者数“１”を示す予測患者数情報を取得する。出力部１４は、こうして予測患者数取得手段１３４３が取得した予測患者数情報“１”を端末装置２に送信する。さらに、出力部１４は、現患者数格納部１１２に格納されている現患者数情報“２”を、当該予測患者数情報“１”に対応付けて、端末装置２に送信する。
【０１８７】
端末装置２において、端末受付部２１が予測患者数情報を受信すると、端末出力部２５は、当該予測患者数情報を、ディスプレイ等の出力デバイスを介して出力する。端末受付部２１が現患者数情報をも受信すると、端末出力部２５は、当該現患者数情報を、上記予測患者数情報と同じ画面に出力する。これにより、端末装置２のディスプレイには、一の画面内に、予測患者数“１”と現患者数“２”とが表示される。
【０１８８】
なお、予測患者数および現患者数を示す画面は、例えば、図１１に示すような画面であってもよい。この画面は、予測患者数を示す第一のアナログ計器の画像と、現患者数を示す第二のアナログ計器の画像とを有する。本例における予測患者数は２５人、現患者数は３１人である。第一のアナログ計器は、０〜１５人に対応する赤ゾーン、１５人〜２０人に対応する黄ゾーン、および２０人〜５０人に対応する青ゾーン、の３ゾーンを有しており、その針は、予測患者数“２５”に応じて、緑ゾーンを指し示している。第二のアナログ計器は、第一のアナログ計器と同様の３ゾーンを有しており、その針は、現患者数“３１”に応じて、緑ゾーンを指し示している。
【０１８９】
端末出力部２５は、かかる画面を構成するための画像データを保持しており、端末受信部２４が受信した予測患者数情報および現患者数情報と、保持している画像データとを用いて画面を構成し、出力してもよい。
【０１９０】
端末装置２において、端末受付部２１が見込み患者数出力指示を受け付けると、端末送信部２３は、当該見込み患者数出力指示を病院経営支援装置１に送信する。
【０１９１】
病院経営支援装置１において、受付部１２が見込み患者数出力指示を受信すると、見込み患者数取得部１３３は、患者情報１〜５を用いて、図５の処理を行うことで、見込み患者数情報を取得する。具体的には、最初の患者情報１は、紹介情報を有しないため、変数ｐのインクリメントとは行われない。次の患者情報２も同様である。
【０１９２】
患者情報３は、紹介情報を有し、開始情報を有さないため、見込み患者数取得部１３３は、患者情報３が有する患者識別子“ＣＣ”で識別される患者ＣＣを見込み患者と見なし、変数ｐを０から１にインクリメントする。患者情報４は、紹介情報を有するが、開始情報を有するため、変数ｐのインクリメントは行われない。最後の患者情報５も同様であるため、見込み患者数取得部１３３は、この時点での変数ｐの値“１”を見込み患者数と見なし、見込み患者数“１”を示す見込み患者数情報を取得する。出力部１４は、こうして取得された見込み患者数情報を端末装置２に送信する。
【０１９３】
端末装置２において、端末受信部２４が上記見込み患者数情報を受信すると、端末出力部２５は、見込み患者数“１”を示す見込み患者数情報を、ディスプレイ等の出力デバイスを介して出力する。
【０１９４】
なお、見込み患者数を示す画面は、例えば、図１２に示すような画面であってもよい。この画面は、見込み患者数を示すアナログ計器の画像を有する。本例における見込み患者数は７人である。このアナログ計器は、０〜２人に対応する赤ゾーン、２人〜４人に対応する黄ゾーン、および４人〜１５人に対応する青ゾーンを有しており、その針は、見込み患者数“７”に応じて、緑ゾーンを指し示している。
【０１９５】
端末出力部２５は、かかる画面を構成するための画像データを保持しており、端末受信部２４が受信した見込み患者数情報と、保持している画像データとを用いて画面を構成し、出力してもよい。この画面は、図１１に示した第一および第二の２つのアナログ計器の画像をさらに有していてもよい。
【０１９６】
以上、本実施の形態によれば、記録媒体が、患者を識別する患者識別子と、患者の診療開始の日に関する情報である開始日情報とを有する２以上の患者情報が格納される患者情報格納部１１１と、一の病院の現在の患者数に関する情報である現患者数情報が格納される現患者数格納部１１２と、一の病院における過去の患者の平均診療期間に関する情報である平均診療期間情報が格納される平均診療期間格納部１１３とを具備しており、病院経営支援装置１は、現患者数情報と、平均診療期間情報とを用いて、将来の患者数に関する情報である予測患者数情報を取得し、予測患者数情報を出力すること（出力することは、端末装置２に送信することも含む:以下同様）により、患者の情報を用いて、病院経営に有益な予測患者数を出力できる。
【０１９７】
また、病院経営支援装置１は、現在の日を示す情報である本日情報を取得し、格納されている２以上の患者情報のうち現在の患者の各患者情報に対して、本日情報と開始日情報との間である診療期間情報を取得し、取得した診療期間情報が平均診療期間情報に対して予め決められた条件を満たす患者の数を示す情報である減少予測患者数情報を取得し、現患者数情報から減少予測患者数情報を減算して、予測患者数情報を取得することにより、患者の情報を用いて、病院経営に有益な予測患者数を出力できる。
【０１９８】
また、格納されている２以上の患者情報のうちの１以上の各患者情報は、診療が終了したことを示す診療終了情報を有し、病院経営支援装置１は、診療終了情報を有しない患者情報の数を示す現患者数情報を取得し、格納されている現患者数情報は、病院経営支援装置１が取得した現患者数情報であることにより、患者の情報を用いて、病院経営に有益な現患者数を自動的に取得できる。
【０１９９】
また、格納されている２以上の患者情報のうちの１以上の各患者情報は、診療が終了した日に関する情報である診療終了情報を有し、病院経営支援装置１は、診療終了情報を有する各患者情報が有する開始日情報と、開始日情報と対になる診療終了情報が示す日との間の期間を示す情報である診療期間情報を取得し、診療期間情報の平均値である平均診療期間情報を取得し、格納されている平均診療期間情報は、病院経営支援装置１が取得した平均診療期間情報であることにより、患者の情報を用いて、平均診療期間を算出できる。
【０２００】
また、格納されている２以上の患者情報のうちの１以上の各患者情報は、紹介に関する紹介情報を有し、病院経営支援装置１は、紹介情報を有し、開始日情報を有さない患者情報の数を示す情報である見込み患者数情報を取得し、見込み患者数情報をも出力することにより、患者の情報を用いて、見込み患者数をも出力できる。
【０２０１】
また、病院経営支援装置１は、現患者数情報を、予測患者数情報に対応付けて出力することにより、患者の情報を用いて、病院経営に有益な現患者数をも出力できる。
【０２０２】
また、病院経営支援装置１は、予測患者数情報、または予測患者数情報と見込み患者数情報、または予測患者数情報と現患者数情報、または予測患者数情報と見込み患者数情報と現患者数情報を、経営の良好度が判断可能な２段階以上のレベルが認識可能なように図的に出力することにより、患者の情報を用いて、病院経営に有益な情報を図的に出力できる。
【０２０３】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における情報処理装置を実現するソフトウェアは、例えば、以下のようなプログラムである。
【０２０４】
つまり、コンピュータがアクセス可能な記録媒体は、患者を識別する患者識別子と、患者の診療開始の日に関する情報である開始日情報とを有する２以上の患者情報が格納される患者情報格納部１１１と、一の病院の現在の患者数に関する情報である現患者数情報が格納される現患者数格納部１１２と、一の病院における過去の患者の平均診療期間に関する情報である平均診療期間情報が格納される平均診療期間格納部１１３とを具備しており、このプログラムは、コンピュータを、現患者数情報と、平均診療期間情報とを用いて、将来の患者数に関する情報である予測患者数情報を取得する予測部１３４と、予測患者数情報を出力する出力部１４として機能させるためのプログラムである。
【０２０５】
図１３は、本実施の形態におけるプログラムを実行して、病院経営支援装置１や端末装置２を実現するコンピュータシステム９００の外観図である。本実施の形態は、コンピュータハードウェアおよびその上で実行されるコンピュータプログラムによって実現され得る。図１３において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０２０６】
図１４は、コンピュータシステム９００の内部構成の一例を示す図である。図１４において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０２０７】
コンピュータシステム９００に、病院経営支援装置１の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０２０８】
プログラムは、コンピュータの詳細を示す９０１に、病院経営支援装置１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２０９】
なお、上述したコンピュータシステム９００は、サーバまたは据え置き型のＰＣであるが、病院経営支援装置１等は、例えば、タブレット端末やスマートフォンやノートＰＣといった、携帯端末で実現されてもよい。この場合、例えば、キーボード９０２及びマウス９０３はタッチパネルに、ディスクドライブ９０５はメモリカードスロットに、ディスク９２１はメモリカードに、ハードディスク９１４はフラッシュメモリに、それぞれ置き換えられることが望ましい。端末装置２もまた、かかる携帯端末で実現され得る。ただし、以上は例示であり、病院経営支援装置１等を実現するコンピュータのハードウェア構成は問わない。
【０２１０】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２１１】
また、上記プログラムを実行するコンピュータは、単数であってもよく、複数であってもよい。すなわち、集中処理を行ってもよく、あるいは分散処理を行ってもよい。
【０２１２】
また、上記実施の形態において、一の装置に存在する２以上の通信手段（端末送信部２３、端末受信部２４など）は、物理的に一の媒体で実現されてもよいことは言うまでもない。
【０２１３】
また、上記実施の形態において、各処理（各機能）は、単一の装置（システム）によって集中処理されることによって実現されてもよく、あるいは、複数の装置によって分散処理されることによって実現されてもよい。
【０２１４】
本発明は、以上の実施の形態に限定されることなく、種々の変更が可能であり、それらも本発明の範囲内に包含されるものであることは言うまでもない。
【産業上の利用可能性】
【０２１５】
以上のように、本発明にかかる病院経営支援装置等は、患者の情報を用いて、病院経営に有益な情報を出力できるという効果を有し、病院経営支援装置等として有用である。
【符号の説明】
【０２１６】
１  病院経営支援装置
２  端末装置
１１  格納部
１２  受付部
１３  処理部
１４  出力部
２１  端末受付部
２２  端末処理部
２３  端末送信部
２４  端末受信部
２５  端末出力部
１１１  患者情報格納部
１１２  現患者数格納部
１１３  平均診療期間格納部
１３１  現患者数取得部
１３２  平均診療期間取得部
１３３  見込み患者数取得部
１３４  予測部
１３４１  診療期間取得手段
１３４２  減少予測患者数取得手段
１３４３  予測患者数取得手段
【図１】
2018055523.tif 000003
【図２】
2018055523.tif 000004
【図３】
2018055523.tif 000005
【図４】
2018055523.tif 000006
【図５】
2018055523.tif 000007
【図６】
2018055523.tif 000008
【図７】
2018055523.tif 000009
【図８】
2018055523.tif 000010
【図９】
2018055523.tif 000011
【図１０】
2018055523.tif 000012
【図１１】
2018055523.tif 000013
【図１２】
2018055523.tif 000014
【図１３】
2018055523.tif 000015
【図１４】
2018055523.tif 000016